(57)【要約】【課  題】リーチインショーケースとして使用する際には落下防止装置により商品の落下を防止することができるとともに、自動販売時には簡単な作業で落下防止装置を収納空間に収納することができる自動販売機の商品収納装置を提供する。【解決手段】自動販売機の商品収納装置（２）は、前後方向に延びる商品通路（２３）を商品棚（２２）に設け、販売時に商品通路の商品を前方に払い出す。そして、前面および側面に連続して貫通孔（５４）の形成されたシャフト支持部材（４２）と、貫通孔に移動可能に挿入され、自動販売時には貫通孔の前面部分を貫通してシャフト収納空間（４１）に収納されるとともに、リーチインショーケースとして使用する際には貫通孔の側面部分を貫通して商品通路の前方に移動して商品の落下を防止することができる商品落下防止シャフト（５６）とを備えている。【選択図】  図６
2004240508.tif 000002
【特許請求の範囲】
【請求項１】
前後方向に延びる商品通路を商品棚に設け、この商品通路に商品を並べ、販売時に前記商品を前方に払い出す自動販売機の商品収納装置において、
前記商品棚の左側または右側の一方の部分に設けられたシャフト収納空間と、
このシャフト収納空間に設けられたシャフト支持部材と、
このシャフト支持部材の前面および側面に連続して形成された貫通孔と、
この貫通孔に移動可能に挿入され、自動販売時には貫通孔の前面部分を貫通して前記シャフト収納空間に収納されるとともに、リーチインショーケースとして使用する際には貫通孔の側面部分を貫通して商品通路の前方に移動して商品の落下を防止することができる商品落下防止シャフトと、
前記商品棚の左側または右側の他方の部分に設けられ、前記商品落下防止シャフトを係脱可能に係止するシャフト係止部とを備えていることを特徴とする自動販売機の商品収納装置。
【請求項２】
前記商品落下防止シャフトの後端部に膨出部が設けられ、
かつ、商品落下防止シャフトがシャフト収納空間に収納された際に、前記膨出部の嵌まり込む嵌合部が、商品棚に設けられていることを特徴としている請求項１記載の自動販売機の商品収納装置。
【請求項３】
前記商品落下防止シャフトの端部に、前記シャフト係止部に係合するスライド式ロック部が設けられていることを特徴としている請求項１または２記載の自動販売機の商品収納装置。
【請求項４】
前記シャフト支持部材が前後方向にスライド可能に構成されていることを特徴としている請求項１，２または３記載の自動販売機の商品収納装置。
【請求項５】
前記商品棚の側壁にガイドピンが設けられるとともに、前記シャフト支持部材には、このガイドピンの嵌まるガイド孔が前後方向に延在して形成されて、前記シャフト支持部材が前後方向にスライド可能に構成されていることを特徴としている請求項４記載の自動販売機の商品収納装置。
【請求項６】
前記ガイド孔の前端部が、上方に上がっていることを特徴としている請求項５記載の自動販売機の商品収納装置。
【発明の詳細な説明】
【０００１】
【発明の属する技術分野】
本発明は、前後方向に延びる商品通路を商品棚に設け、この商品通路に商品を並べ、販売時に前記商品を前方に払い出すシースルー型などの自動販売機の商品収納装置に関する。
【０００２】
【従来の技術】
従来、この様な自動販売機の商品収納装置は、商品を前方に払い出す際に、商品の移動の妨げにならないように、商品棚には、商品の前方への落下を防止するストッパーは設けられていない。なお、たとえば特許文献１に記載の自動販売機の商品収納装置には、商品棚に商品を陳列する作業のために商品棚を前方に引き出した際に、商品棚から商品が落下しないように、商品棚の引出し時に作動するストッパーが設けられている。
【０００３】
【特許文献１】
特開２０００−１１３３０９号公報
【０００４】
【発明が解決しようとする課題】
ところで、シースルー型自動販売機において、利用客の多い時間帯には、リーチインショーケースとして利用し、夜間などの利用客の少ない時間帯には、自動販売機として稼働させたいと言う要望がある。この場合、自動販売機の状態のまま（すなわち、商品棚にストッパーが設けられていない状態）であると、客が商品を取り出す際などに誤って隣接する商品などを転倒落下させるおそれがある。そのため、リーチインショーケースとして利用する際に商品棚から商品の落下を防止するストッパーすなわち落下防止装置を設けることが検討されている。そして、この落下防止装置は、自動販売時における商品の払い出し動作を妨げないようにする必要がある。
【０００５】
そして、特許文献１などの自動販売機の商品収納装置のストッパーは、商品棚が引出されている時に作動するものであり、リーチインショーケースとして利用する場合、すなわち商品棚が格納された状態では、商品の落下を防止することができない。また、落下防止装置を着脱自在にすることが考えられるが、紛失などのおそれがあるとともに、外した落下防止装置を収納する収納場所および収納作業が必要となる。
【０００６】
本発明は、以上のような課題を解決するためのもので、リーチインショーケースとして使用する際には落下防止装置により商品の落下を防止することができるとともに、自動販売時には簡単な作業で落下防止装置を収納空間に収納することができる自動販売機の商品収納装置を提供することを目的としている。
【０００７】
【課題を解決するための手段】
本発明の自動販売機の商品収納装置（２）は、前後方向に延びる商品通路（２３）を商品棚（２２）に設け、この商品通路に商品（Ｓ）を並べ、販売時に前記商品を前方に払い出す。そして、商品棚の左側または右側の一方の部分に設けられたシャフト収納空間（４１）と、このシャフト収納空間に設けられたシャフト支持部材（４２）と、このシャフト支持部材の前面および側面に連続して形成された貫通孔（５４）と、この貫通孔に移動可能に挿入され、自動販売時には貫通孔の前面部分を貫通して前記シャフト収納空間に収納されるとともに、リーチインショーケースとして使用する際には貫通孔の側面部分を貫通して商品通路の前方に移動して商品の落下を防止することができる商品落下防止シャフト（５６）と、商品棚の左側または右側の他方の部分に設けられ、前記商品落下防止シャフトを係脱可能に係止するシャフト係止部（７１）とを備えている。
【０００８】
また、前記商品落下防止シャフトの後端部に膨出部（５７）が設けられ、かつ、商品落下防止シャフトがシャフト収納空間に収納された際に、前記膨出部の嵌まり込む嵌合部（６９）が商品棚に設けられていることがある。
【０００９】
さらに、前記商品落下防止シャフトの端部に、シャフト係止部に係合するスライド式ロック部（５８）が設けられていることがある。
そして、前記シャフト支持部材が前後方向にスライド可能に構成されていることがある。
【００１０】
また、前記商品棚の側壁（３１）にガイドピン（４７）が設けられるとともに、前記シャフト支持部材には、このガイドピンの嵌まるガイド孔（４４）が前後方向に延在して形成されて、前記シャフト支持部材が前後方向にスライド可能に構成されていることがある。
さらに、前記ガイド孔の前端部が、上方に上がっていることがある。
【００１１】
【発明の実施の形態】
次に、本発明における自動販売機の商品収納装置の実施の一形態を図１ないし図１０を用いて説明する。図１は本発明にかかる自動販売機の正面図である。図２は自動販売機の断面図である。図３は商品収納装置の正面図である。図４は商品落下防止シャフトが落下防止位置にある状態の商品棚の斜視図である。図５は商品落下防止シャフトが収納位置にある状態の商品棚の斜視図である。図６は図４から左側の仕切部材および商品を外した状態の図である。図７は図５から左側の仕切部材および商品を外した状態の図である。図８はシャフト支持部材および商品落下防止シャフトの斜視図である。図９は商品収納装置の要部の説明図で、（ａ）がシャフト支持部材の一部切欠き斜視図、（ｂ）が落下防止位置にある商品落下防止シャフトの説明図である。図１０は収納位置にある商品落下防止シャフトの説明図である。
【００１２】
まず始めに、自動販売機の全体構成を説明する。自動販売機はシースルー型であり、横長ボックス状の販売機本体１と、商品Ｓを収納する商品収納装置２と、販売時に商品収納装置２から前方に払い出された商品Ｓを受け取り、搬出する商品搬出装置３とを備えている。この商品収納装置２および商品搬出装置３は、販売機本体１の内部に配置されている。また、販売機本体１の前面開口は、透明なスライディング式の前面扉６で開閉自在に閉じられており、この透明な前面扉６を通して、商品収納装置２に収納されている商品Ｓが見えるようになっている。そして、前面扉６は自動販売時には、図示しない施錠装置により施錠されており、客が開閉することはできなくなっている。一方、自動販売機をリーチインショーケースとして利用する際（すなわち、客が自分で商品収納装置２から商品Ｓを取り出す際）には、前面扉６は施錠されておらず、客は自由に開閉することができる。
【００１３】
さらに、販売機本体１の上部には、販売機本体１の内部を冷却する冷却装置７が設けられている。また、販売機本体１の右側の部分には、プリペイドカードが挿入されるカード挿入口８および図示しないテンキー式の商品選択ボタンなどを具備するコントロールパネル９と、商品取出口１０とが設けられている。そして、コントロールパネル９には、図示しないカードリーダーや図示しないマイクロコンピュータなどで構成された制御装置が内蔵されている。
【００１４】
商品搬出装置３は、商品収納装置２の前方に配置され、左右方向に駆動される上下方向に延在する可動体１１と、この可動体１１の側面から突出するとともに上下方向に駆動されるバケット１２とを備えている。また、バケット１２には、商品Ｓの商品収納装置２からの払い出しを検知するフォトセンサなどの商品払い出し検知手段（図示しない）および、モータなどのプッシャー駆動源（図示しない）が設けられている。
【００１５】
商品収納装置２は、販売機本体１内に配設された複数の縦フレーム２１と、この縦フレーム２１間に多段に設けられた商品棚２２と、この商品棚２２上に前後方向に延びる複数の商品通路２３を形成する仕切体２４と、商品通路２３の商品Ｓを前側に押圧して払い出すプッシャー２６と、このプッシャー２６を駆動するためのプッシャー駆動機構（図示しない）を具備している。商品棚２２はラック構造で、縦フレーム２１から引出し可能に構成されているとともに、左右側壁３１および後壁３２を有している。仕切体２４は前後方向に延在しているとともに、商品棚２２に複数着脱可能に取り付けられており、商品棚２２への取付位置は適宜変更可能となっている。この仕切体２４にプッシャー駆動機構が設けられ、このプッシャー駆動機構の入力部である入力歯車２８が、仕切体２４の前方に突出している。そして、プッシャー駆動機構の入力歯車２８に、バケット１２のプッシャー駆動源からの駆動力が加わると、ベルトなどからなるプッシャー駆動機構が作動してプッシャー２６を前方に移動させ、商品Ｓを前方に払い出す。
【００１６】
この様に構成されている自動販売機で、商品Ｓを自動販売する際には、前面扉６は閉じた状態で施錠されている。そして、商品Ｓの購買客は、カード挿入口８にプリペイドカードなどを挿入して、商品Ｓの対価を支払うとともに、コントロールパネル９の商品選択ボタンなどで購買する商品Ｓを選択する。すると、制御装置は、図示しない駆動装置により可動体１１およびバケット１２を移動させて、購買対象の商品Ｓを収納している商品棚２２の商品通路２３の前方にバケット１２を位置させる。そして、バケット１２のプッシャー駆動源から商品収納装置２のプッシャー駆動機構の入力歯車２８に駆動力を加え、プッシャー２６を前方に移動させて商品Ｓをバケット１２に向かって払い出す。この商品Ｓのバケット１２への払い出しを、商品払い出し検知手段が検知すると、制御装置は、プッシャー駆動機構の入力歯車２８へ駆動力を加えることを停止させて、プッシャー２６を停止させる。ついで、制御装置は、図示しない駆動装置により可動体１１およびバケット１２を移動させて、バケット１２の商品Ｓを商品取出口１０に払い出す。これで、自動販売の工程が完了する。以上の自動販売機としての機能は、上記特許文献１などの従来の自動販売機の商品収納装置と略同じである。
【００１７】
そして、この自動販売機をリーチインショーケースとして利用する際には、可動体１１およびバケット１２などを販売機本体１の右側の部分に格納するとともに、前面扉６を施錠せずに、自由に開閉できるようにする。そして、購買客は自動販売機の前面扉６を開けて、商品収納装置２から商品Ｓを取り出し、店のレジなどで商品Ｓの対価を支払って商品Ｓを購入する。
【００１８】
ところで、上記特許文献１などの従来の自動販売機の商品収納装置では、商品Ｓなどに不用意に接触すると、商品Ｓが商品通路２３から前方に落下するおそれがあるので、この実施の形態では、商品収納装置２に、商品Ｓの落下を防止する落下防止装置が設けられている。この落下防止装置を説明する。
【００１９】
商品棚２２の左側の側壁３１と一番左側の仕切体２４との間に、図４に図示するように、シャフト収納空間４１が前後方向に延在して形成されている。そして、このシャフト収納空間４１の前部には、板金製のシャフト支持部材４２が前後方向にスライド可能に配置されている。図９において、シャフト支持部材４２の左側の側壁４３には、前後方向に延在するガイド孔４４が形成されており、このガイド孔４４の前端は上方に上がって、飛び出し防止部４６が形成されている。そして、シャフト支持部材４２は、そのガイド孔４４にガイドピンとしての取付けビス４７が挿入され、このビス４７の先端が商品棚２２の側壁３１に螺合することにより、商品棚２２の側壁３１にスライド可能に取り付けられている。ガイド孔４４が前後一対のビス４７に案内されて摺動することにより、シャフト支持部材４２は前後方向にスライドすることができる。また、シャフト支持部材４２が後方にスライドした際に、前側のビス４７に、ガイド孔４４の前端の飛び出し防止部４６が落ち込んで引っ掛かることにより、シャフト支持部材４２が前方に飛び出すことを防止することができる。
【００２０】
また、シャフト支持部材４２の前壁５１および右側の側壁５２には、貫通孔５４が連続して形成されている。この貫通孔５４に、商品落下防止シャフト５６が挿入されている。なお、この明細書においては、図１０に図示する収納位置を基準として、商品落下防止シャフト５６を説明している。商品落下防止シャフト５６の後端部には、膨出部として抜け止め５７が膨出している。この抜け止め５７により、商品落下防止シャフト５６がシャフト支持部材４２から不用意に外れることを防止することができる。また、商品落下防止シャフト５６の前端部には、スライド式ロック部５８が設けられている。ロック部５８は、挿入された商品落下防止シャフト５６に案内される取付部６１と、この取付部６１の前端から前方に延在し、ついで折れ曲がって商品落下防止シャフト５６の先端を覆いさらに先端が折れ曲がる係合部としての係合爪部６２と、取付部６１を後方（すなわち係合方向）に付勢する付勢手段としてのコイルバネ６３（図８参照）を具備している。コイルバネ６３は商品落下防止シャフト５６の先端部に嵌まって商品落下防止シャフト５６から抜け出ないようにされているとともに、コイルバネ６３の後端（図８では左側）が取付部６１の前端部に当接して後方に付勢している。なお、コイルバネ６３は他の形式のバネでも可能である。図１０において、取付部６１は板金製で略コの字状しており、前板および後板（なお、図８などにおける落下防止位置においては、前板および後板は左右に配置される）に商品落下防止シャフト５６が挿入される貫通孔が形成されている。
【００２１】
商品棚２２の棚板には、嵌合部として嵌合孔６９が形成されており、商品落下防止シャフト５６が図１０に図示する収納位置にある際には、商品落下防止シャフト５６の後端の抜け止め５７が嵌まる。また、商品棚２２の右側の側壁３１には、ロック部５８の係合爪部６２を係脱可能に係止する係止部７１が形成されている。
【００２２】
この様に構成されている落下防止装置は、自動販売時には商品落下防止シャフト５６が図１０に図示する収納位置にありシャフト収納空間４１に収納され、一方、リーチインショーケースとして利用する際には、商品落下防止シャフト５６を図９（ｂ）に図示する落下防止位置、すなわち商品収納装置２の商品通路２３の前方に位置させて、ロック部５８の係合爪部６２を係止部７１に係合させる。
【００２３】
この落下防止装置の作動の詳細を説明する。
図１０の収納位置にある商品落下防止シャフト５６を、図９に図示する落下防止位置に移動する際には、ロック部５８を掴んで商品落下防止シャフト５６を手前側に引き出す。商品落下防止シャフト５６が収納位置にある時には、商品落下防止シャフト５６の後端の抜け止め５７は、商品棚２２の嵌合孔６９に嵌まっているが、ロック部５８を強く引っ張るか、または、ロック部５８を少し下側に変移させると、抜け止め５７と嵌合孔６９との係合が外れ、商品落下防止シャフト５６を簡単に引き出すことができる。
【００２４】
そして、商品落下防止シャフト５６の抜け止め５７がシャフト支持部材４２の前壁５１に当接すると、商品落下防止シャフト５６とともにシャフト支持部材４２が前方にスライドし、シャフト支持部材４２の前壁５１が商品棚２２の前端部付近まで移動する。ついで、引き出した商品落下防止シャフト５６を、商品棚２２の前縁に略平行となるように回動し、ロック部５８の先端を、コイルバネ６３の付勢力に抗して商品棚２２の右側の係止部７１に係合させる。係止部７１はコイルバネ６３の付勢力により係合方向に付勢されているため、ロック部５８と係止部７１との係合が不用意に外れることを防止することができる。また、商品落下防止シャフト５６が落下防止位置にある際には、商品落下防止シャフト５６は仕切体２４のすぐ前方に位置しており、シャフト支持部材４２が後方（背面側）へスライドすることは、仕切体２４の前端が商品落下防止シャフト５６に当接することにより阻止することができる。したがって、シャフト支持部材４２が前後にふらつくことが減少し、商品落下防止シャフト５６を安定して落下防止位置に位置させることができる。
【００２５】
一方、商品落下防止シャフト５６を落下防止位置から収納位置に移動させる際には、ロック部５８をコイルバネ６３の付勢力に抗して外し、商品落下防止シャフト５６を前後方向になるように回動する。ついで、商品落下防止シャフト５６をシャフト収納空間４１に押し込む。商品落下防止シャフト５６を押し込んで行くと、ロック部５８の後端がシャフト支持部材４２の前端に当接し、シャフト支持部材４２がロック部５８とともに後側（背面側）に押し込まれる。そして、商品落下防止シャフト５６の収納時には、シャフト支持部材４２のガイド孔４４の前端の飛び出し防止部４６が、前側のビス４７まで移動し、シャフト支持部材４２が下方に変位する。このシャフト支持部材４２の下方への変位により、シャフト支持部材４２が不用意に前方に移動することを防止することができる。また、商品落下防止シャフト５６の後端の抜け止め５７が商品棚２２の嵌合孔６９に嵌まり込み、商品落下防止シャフト５６が不用意に前方に移動することを防止することができる。この様にして、商品落下防止シャフト５６は収納位置に収納されるが、商品落下防止シャフト５６の前端に設けられたロック部５８は、その先端が商品棚２２の左側の側壁３１に向くように回動される。したがって、係合爪部６２に、衣類や商品などが引っ掛かることを防止することができる。
【００２６】
前述の様に、この実施の形態においては、自動販売機をリーチインショーケースとして利用する際には、商品落下防止シャフト５６を落下防止位置にして、商品Ｓの商品棚２２からの落下を防止することができる。そして、自動販売時には、商品落下防止シャフト５６を収納位置にしてシャフト収納空間４１に収納できるので、商品落下防止シャフト５６を紛失することを防止することができる。
【００２７】
また、商品落下防止シャフト５６のロック部５８の係合爪部６２が、商品落下防止シャフト５６の先端を覆うとともに、さらにその先端が折れ曲がって形成されているので、商品落下防止シャフト５６の先端が客には見えない。したがって、見栄えが良好となる。
【００２８】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）シャフト支持部材４２は前後方向にスライド可能であるが、商品棚２２に固定することも可能である。ただし、商品搬出装置３の移動の妨げにならないように、スライド可能にすることが好ましい。また、実施の形態ではシャフト支持部材４２は商品棚２２の左側の部分に配置されているが、右側の部分に配置することも可能である。その場合には、係止部７１は商品棚２２の左側の部分に配置される。
【００２９】
（２）シャフト支持部材４２のスライド構造、係止部７１の係止構造、商品落下防止シャフト５６の後端の膨出部（抜け止め５７）の形状や、商品落下防止シャフト５６の膨出部が嵌まる嵌合部（嵌合孔６９）の構造などは適宜変更可能である。たとえば、嵌合部は嵌合孔ではなく、凹部で構成することも可能である。
（３）係止部７１に係合する係合部としてのロック部５８は、商品落下防止シャフト５６の本体と別体に構成されているが、係合部を商品落下防止シャフト５６に一体に形成することも可能である。
【００３０】
（４）プッシャー２６は、仕切体２４に設けたプッシャー駆動機構により駆動されているが、プッシャー２６は商品通路２３の商品Ｓを前方に払い出すことができるならば、その構造は適宜変更可能である。たとえば、プッシャー駆動機構を商品棚２２の本体側に設けることも可能である。
（５）商品落下防止シャフト５６は自動販売時には収納位置にある必要があるが、自動販売時以外の時には、商品落下防止シャフト５６の位置は、収納位置または落下防止位置の何れかを適宜選択することができる。たとえば、商品棚２２を引き出す際に、商品落下防止シャフト５６を落下防止位置に位置させることも可能である。
（６）ガイドピンはビス４７ではなく、商品棚２２の側壁３１から突出するピンなどで構成することも可能である。
（７）ビス４７やガイド孔４４の個数は適宜変更可能である。
（８）自動販売機の前面扉６はスライディング式であるが、その形式は適宜変更可能である。たとえば、観音開式にすることも可能である。
【００３１】
【発明の効果】
本発明によれば、シャフト収納空間が商品棚の左側または右側の一方の部分に設けられ、このシャフト収納空間に設けられたシャフト支持部材の前面および側面に連続して貫通孔が形成され、この貫通孔に商品落下防止シャフトが挿入されている。したがって、商品落下防止シャフトは、自動販売時には貫通孔の前面部分を貫通してシャフト収納空間に収納されるとともに、リーチインショーケースとして使用する際には貫通孔の側面部分を貫通して商品通路の前方に移動して商品の落下を防止することができる。その結果、リーチインショーケースとして利用されている際に、客が商品を取り出す際などに誤って隣接する商品などを転倒落下させることを極力防止することができるとともに、自動販売時に、商品落下防止シャフトが商品の払い出しの妨げになることを防止することができる。かつ、商品落下防止シャフトは、不使用時にはシャフト収納空間に収納され、紛失するおそれが減少するとともに、簡単に収納位置と落下防止位置との間を移動させることができる。
【００３２】
また、商品落下防止シャフトの後端部に膨出部が設けられ、かつ、商品落下防止シャフトがシャフト収納空間に収納された際に、膨出部の嵌まり込む嵌合部が商品棚に設けられている場合には、収納された商品落下防止シャフトが不用意に前方に飛び出すことを防止することができる。しかも、飛び出し防止構造をバネなどで構成する場合と比較して、構造が簡単でコストを削減することができる。
【００３３】
さらに、前記商品落下防止シャフトの端部に、シャフト係止部に係合するスライド式ロック部が設けられている場合には、スライド式ロック部を操作して簡単に係止部に商品落下防止シャフトの端部を係合させることができる。
【００３４】
そして、前記シャフト支持部材が前後方向にスライド可能に構成されている場合には、商品落下防止シャフトが収納されている際に、シャフト支持部材を後方にスライドさせて、シャフト支持部材の前方への突出量を極力少なくすることができる。その結果、商品通路から前方に払い出しされた商品を搬送する商品搬出装置の移動を妨げることを極力防止することができる。特に、商品落下防止シャフトにスライド式ロック部を設けると、シャフト支持部材からスライド式ロック部などが前方に突出するが、シャフト支持部材を後方に引っ込めることにより、スライド式ロック部などが、払い出しされた商品を搬送する商品搬出装置の移動を妨げることを極力防止することができる。
【００３５】
また、商品棚の側壁にガイドピンが設けられるとともに、シャフト支持部材には、このガイドピンの嵌まるガイド孔が前後方向に延在して形成されて、シャフト支持部材が前後方向にスライド可能に構成されている場合には、シャフト支持部材のスライド構造を簡単にすることができる。その結果、製造コストを削減することができる。
【００３６】
さらに、ガイド孔の前端部が上方に上がっている場合には、シャフト支持部材を後方に引っ込めた際に、シャフト支持部材が下方に変位し、後方にスライドしたシャフト支持部材が不用意に前方に飛び出すことを極力防止することができる。
【図面の簡単な説明】
【図１】図１は本発明にかかる自動販売機の正面図である。
【図２】図２は自動販売機の断面図である。
【図３】図３は商品収納装置の正面図である。
【図４】図４は商品落下防止シャフトが落下防止位置にある状態の商品棚の斜視図である。
【図５】図５は商品落下防止シャフトが収納位置にある状態の商品棚の斜視図である。
【図６】図６は図４から左側の仕切部材および商品を外した状態の図である。
【図７】図７は図５から左側の仕切部材および商品を外した状態の図である。
【図８】図８はシャフト支持部材および商品落下防止シャフトの斜視図である。
【図９】図９は商品収納装置の要部の説明図で、（ａ）がシャフト支持部材の一部切欠き斜視図、（ｂ）が落下防止位置にある商品落下防止シャフトの説明図である。
【図１０】図１０は収納位置にある商品落下防止シャフトの説明図である。
【符号の説明】
Ｓ  商品
２  商品収納装置
２２  商品棚
２３  商品通路
３１  商品棚の側壁
４１  シャフト収納空間
４２  シャフト支持部材
４４  ガイド孔
４６  飛び出し防止部
４７  ビス（ガイドピン）
５１  シャフト支持部材の前壁
５２  シャフト支持部材の側壁
５４  貫通孔
５６  商品落下防止シャフト
５７  商品落下防止シャフトの抜け止め（膨出部）
５８  ロック部
６９  嵌合孔（嵌合部）
７１  シャフト係止部
【図１】
2004240508.tif 000003
【図２】
2004240508.tif 000004
【図３】
2004240508.tif 000005
【図４】
2004240508.tif 000006
【図５】
2004240508.tif 000007
【図６】
2004240508.tif 000008
【図７】
2004240508.tif 000009
【図８】
2004240508.tif 000010
【図９】
2004240508.tif 000011
【図１０】
2004240508.tif 000012